(57)【特許請求の範囲】
【請求項１】
開放側端部が回動自在に支持された第１扉と、第１扉に開放側端部が折り畳み自在に連結され、上部が固定部材に配設されたスライド部材に設けられたスライド支持部材に回動自在に支持された第２回動軸を介して、スライド部材に、第２回動軸と共に回動自在でかつ開閉方向に移動可能に支持された第２扉より構成され、第２扉の上部に、常に第２扉を閉鎖する方向に、第２回動軸を回動させる付勢手段と付勢手段の付勢力を調節する付勢力調節手段を、第２扉と共に移動する位置に設けた折れ戸において、前記付勢手段は、第２回動軸に設けられた第２回動軸と共に回動する回動補助板と、一端が回動補助板に巻きついての開放側端部に固定され、他端が回動補助板の閉鎖側に延出するワイヤーと、ワイヤーを常に閉鎖側に引っ張る引っ張りバネより構成され、前記付勢力調節手段は、引っ張りバネの閉鎖側端部に連結される連結座と、連結座を開閉方向に移動させる調節ボルトと、調節ボルトを所定位置で固定する固定座より構成されている事を特徴とする折れ戸。
【発明の詳細な説明】
【０００１】
【発明の属する技術分野】
本発明は、折れ戸に関し、詳しく開放後自動に閉鎖する折れ戸に関するものである。
【０００２】
【従来の技術】
従来、折れ戸は図１０に示すように、一対の扉１ａ，２ａが蝶番３ａにて折り畳み自在に連結され、扉１ａの開放側端部の上下面に回動ピン４ａを設けて外枠６ａに対し回動自在となす一方、扉２ａの閉鎖側端部上面にガイド部材５ａを設けて、上部のレール（図示せず。）に開閉方向に移動自在に支持せしめ、図１０の細い仮想線に示す状態に折り畳み、ガイド部材５ａと閉鎖側の外枠７ａ間に引っ張りバネ８ａを設けたものであった。
【０００３】
【発明が解決しようとする課題】
ところが、このような折れ戸においては、ガイド部材５ａの移動距離が長く、しかも閉鎖時にはガイド部材５ａと外枠７ａ間の距離が小さいので、引っ張りバネの引っ張り力が、扉１ａ，２ａが開放姿勢に近づくにつれて極端に強くなるため、全開操作が非常に困難であるばかりか、扉１ａ，２ａは、開放姿勢から急激に閉鎖方向に移動するので非常に危険であった。
【０００４】
又、蝶番３ａの中心位置と、外枠７ａに対する引っ張りバネ８ａ取り付け位置９ａ間の距離は、完全に扉２ａが閉鎖された状態よりも、蝶番３ａの中心位置が、ガイド部材５ａと回動ピン４ａを結ぶ直線上に位置した時（図１０の太い２点鎖線に示す状態）に最も長くなる（これ以降は引っ張りバネを伸ばさないと扉２ａは閉鎖しない。）ため、扉１ａ，２ａは完全に閉鎖しないと云う問題があった。
【０００５】
本発明はこのような問題に鑑みてなされたものであり、簡単な構造で、引っ張りバネの伸び寸法を小さくする事で、扉の開放操作が容易で、急激に扉が閉鎖する事もなく、しかも自動的に閉鎖移動がおこなわれ、かつ、完全な閉鎖姿勢が維持される折り戸を提供する事を課題とする。
【０００６】
【課題を解決する為の手段】
そこで、上記課題を解決する為、本発明が第１の手段として構成したところは、開放側端部が回動自在に支持された第１扉と、第１扉に開放側端部が折り畳み自在に連結され、上部が固定部材に配設されたスライド部材に設けられたスライド支持部材に回動自在に支持された第２回動軸を介して、スライド部材に、第２回動軸と共に回動自在でかつ開閉方向に移動可能に支持された第２扉より構成され、第２扉の上部に、常に第２扉を閉鎖する方向に、第２回動軸を回動させる付勢手段と付勢手段の付勢力を調節する付勢力調節手段を、第２扉と共に移動する位置に設けた折れ戸において、前記付勢手段は、第２回動軸に設けられた第２回動軸と共に回動する回動補助板と、一端が回動補助板に巻きついての開放側端部に固定され、他端が回動補助板の閉鎖側に延出するワイヤーと、ワイヤーを常に閉鎖側に引っ張る引っ張りバネより構成され、前記付勢力調節手段は、引っ張りバネの閉鎖側端部に連結される連結座と、連結座を開閉方向に移動させる調節ボルトと、調節ボルトを所定位置で固定する固定座より構成されているものである。
【０００９】
【実施例】
以下、本発明を添付図面に基づいて詳述する。
図２は本発明をトイレ用の折れ戸として使用した状態の正面図を示している。
そして、図２、図３において右側を閉鎖側、左側を開放側、正面側を表面側、背面側を裏面側、表裏側方向を出入り方向として以下本発明を説明する。
符号１００は本発明の折れ戸を示し、折れ戸１００は、開閉側の端部に立設された開閉側縦枠１１、１１と、開閉側の縦枠１１、１１の上端部に配設された上枠１２より構成された三方枠１と、開放側の縦枠１１の閉鎖側内面上下端部に形成されたピボットヒンジ２１にて開放側上下端部が回動自在に支持され、開放側端面に戸当たり２２を有する第１扉２と、第１扉２の閉鎖側端部と丁番３１を介して折り畳み自在に連結され閉鎖側端面に戸当たり３２を有する第２扉３と、三方枠１の内側の表裏両面側で、第１扉２、第２扉３の上方に位置し、内部構造を隠蔽している表裏ランマパネル１０、１０等より構成されている。
【００１０】
第２扉３は、表面側に把手３３、表示部３４が設けられ、裏面側に、閉鎖側縦枠１１の内面に形成された係合孔３５０（図４に示す。）に係脱自在で、表示部３４と連動する表示錠３５が回動自在に設けられ、さらに表裏両面側にわたって形成された確認窓３６を有し、開閉側方向の略中央部上面に設けられた第２回動軸４（図２、図５に示す。）と、第２回動軸４が連結される支持金具４０、支持金具４０が連結されるスライド支持部材５を介して、開閉側縦枠１１、１１の上端部間内面に配設された固定部材６のスライド部材７００に対し開閉方向にスライド自在に支持されている。
【００１１】
符号３７は、閉鎖側縦枠１１の段部１１１の表面側に取付られた、第２扉３の閉鎖時の衝撃を和らげる緩衝部材を示し、符号９は、折れ戸１００の自閉動作が容易となるよう第２扉３の上方に位置し、スライド支持部材５と第２回動軸４間に形成された自閉装置を示している。
【００１２】
前記第２回動軸４は、ナット４１、４１、が螺合し、スラストベアリング４２に内挿する螺軸部４３と、螺軸部４３の下端端に連続する４角柱に形成された回動軸部４５より形成されている。
そして、第２回動軸４は、第２扉３の上端部内面にネジ止めされた回動軸取付座５８に回動軸部４５の下端部が溶接されている。
尚、実施例では、第２扉３は重心位置が開閉方向のほぼ中心部に位置しているので、第２回動軸４は、第２扉３の開閉方向の中心部の上方（開閉側方向の略中央部上面）に形成され、第２扉３の開閉時での傾動を極力少なくし、第２回動軸４に対する無理な負荷を防止している。しかしながら、第２扉３の形態によっては、その重心が必ずしも中心部に位置しないので、第２回動軸４の取り付け位置は、扉の重心の上方に位置するよう適宜選択されるのが望ましい。
【００１３】
前記回動軸取付座５８は、上壁５８１と、上壁５８１の開閉側端部に下方に突出して連設された開閉側の側壁５８２、５８２と、開閉側の側壁５８２、５８２の下端部に開閉側に突出して連設された連結壁５８３、５８３より形成され、上壁５８１の中央部に前記第２回動軸４の下端部が溶接され、第２回動軸４は第２扉３の上面より上方に突出して設けられている。
【００１４】
前記スライド支持部材５は、固定部材６に連結された第１、第２スライドレール７、８に一体的あるいはネジ止め等にて連結されており、前記支持金具４０がネジ止めされる垂直支持部５２と、垂直支持部５２の上端から表面側に向かって連設される水平部５３と、水平部５３の表面側端部から、上方に向かって逆Ｌ字形に形成された、第１取付部５４と第２取付部５５より形成されている。
【００１５】
前記支持金具４０は、前記第２回動軸４の螺軸部４３が嵌挿する挿通孔４０１が形成された支持突片４０２と、支持突片４０２に連設されて上方に突出し、前記スライド支持部材５の垂直支持部５２にネジ止めされる連結突片４０４より形成されている。
すなわち、第２回動軸４は、挿通孔４０１の下方より螺軸部４３が挿通し、回動軸部４５の上面が支持突片４０２の下面に当接した状態で、スラストベアリング４２が螺軸部４３に外嵌し、ナット４１、４１を螺合する事により、第２回動軸４は、第２扉３と共に、支持金具４０を介してスライド支持部材５に吊下げられた状態で、回動しなが開閉方向に移動自在に支持される。
【００１６】
前記固定部材６は、開閉側縦枠１１、１１の上端部間に配設され、表面側に開閉方向全幅に渡って形成されたスライド部材連結凹部６１内に形成された水平取付壁６２と、水平取付壁６２の裏面側端部から下方に連設された垂直取付壁６３と、水平取付壁６２と垂直取付壁６３の裏面側に所定間隔を有して一体に形成された、上水平壁６４と、裏面側垂直壁６５より形成されている。
【００１７】
スライド部材連結凹部６１内に取付られる前記スライド部材７００は、前記垂直取付壁６３の表面側の開閉方向全幅に渡って配設される第１スライドレール７と、前記水平取付壁６２の下面側の開閉方向全幅に渡って配設される第２スライドレール８より構成され、第１スライドレール７は、垂直取付壁６３にネジ止めされる断面略Ｃ字形の固定レール７１と、固定レール７１にボールリテーナー７２、ボール７３・・・を介してスライド自在に配設される断面略Ｃ字形の移動レール７４より構成されてなり、移動レール７４の開閉方向の巾寸法は、支持金具４が連結されるスライド支持部材５の開閉方向の巾寸法のほぼ倍の長さで、ボールリテーナー７２は、移動レール７４の移動距離の２分の１の距離、移動する事に対応して、固定レール７１の開閉方向の巾寸法のほぼ２分の１の長さに形成されている。
【００１８】
前記第２スライドレール８は、水平取付壁６２にネジ止めされる断面横向き略Ｃ字形の固定レール８１と、固定レール８１にボールリテーナー８２、ボール８３・・・を介してスライド自在に配設される断面横向き略Ｃ字形の移動レール８４より構成されてなり、移動レール８４の開閉方向の巾寸法は、支持金具４が連結されるスライド支持部材５の開閉方向の巾寸法のほぼ倍の長さで、ボールリテーナー８２は、移動レール８４の移動距離の２分の１の距離移動する事に対応して、固定レール７１の開閉方向の巾寸法のほぼ２分の１の長さに形成されている。
【００１９】
すなわち、第１スライドレール７と第２スライドレール８は同形で、それぞれのボール７３・・・、８３・・・が位置する方向にはガタ付が生じず強度的に強い構成となっているから、それぞれの移動レール７４、８４と、スライド支持部材５の第１取付部５４と第２取付部５５を一体とする事により、第２扉３の荷重は第１スライドレールで支持され、又、スライド支持部材５に表裏側方向の負荷が発生しても、水平方向に配設された第２スライドレール８が負荷を受け止めるので、スライド支持部材５に支持金具４を介して吊下げられた第２扉３に生じる開閉時の表裏方向への揺れは最小限におさえられる。
尚、実施例では、第２スライドレール８は水平に配設されているが、第２扉３の出入り方向の揺れを防止する方向、すなわち、スライド支持部材５が第１スライドレール７を中心部分として回動する方向に沿って、水平からやや傾けた水平方向に設けると、より効果的である。
【００２０】
前記自閉装置９は、第２回動軸４を回動させる付勢手段９０と付勢手段９０の付勢力を調節する付勢力調節手段９００より構成されている。
すなわち、付勢手段９０は第２回動軸４に設けられた、第２回動軸４と共に回動する回動補助板９１と、一端が回動補助板９１に巻きついて、回動補助板９１の開放側端部に固定され、他端が回動補助板９１の閉鎖側に延出するワイヤー９２と、ワイヤー９２を常に閉鎖側に引っ張る引っ張りバネ９３より構成されている。
【００２１】
付勢力調整手段９００は、引っ張りバネ９３の閉鎖側端部端部に連結される連結座９４と、連結座９４を開閉方向に移動させる調節ボルト９５及び調節ナット９６、９６と、調節ボルト９５と調節ナット９６、９６を所定位置で維持させる固定座９７より構成されている。
【００２２】
前記回動補助板９１は、平面４分の１円板形でその円周側側面にワイヤー９２の案内溝９１１が形成され、半径方向角部に前記第２回動軸４の回動軸部４５に一致する４角形の嵌合孔９１２が形成され、開放側端面にワイヤー９２の一端が連結される係止突起９１３が形成され、嵌合孔９１２の閉鎖側に、回動軸部４５と回動補助板９１を連結する連結金具９１４の連結ネジ孔９１５が形成されている。
すなわち、回動補助板９１は、第２回動軸４が、スライド支持部材５にネジ止めされた支持金具４０に取り付けられる前に、嵌合孔９１２を第2 回動軸４の回動軸部４５に嵌合し、さらに、連結金具９１４をもって、と第２回動軸４に連結固定される。
【００２３】
固定座９７は、スライド支持部材５の垂直支持部５２の閉鎖側端部裏面にネジ止めされて、閉鎖側に所定寸法突出する取付突部９７１と、取付突部９７１の閉鎖側端部に表面側に突出して連設され調節ボルト固定部９７２より構成され、調節ボルト固定部９７２には調整ボルト９５の挿通孔が形成されている。
連結座９４は調整ボルト９５が前記調整ボルト固定座９７２の方向に突出して固定されたボルト固定片９４１と、引っ張りばね９３の端部が連結される連結係止孔９４２を有するバネ連結片９４３より構成されている。
【００２４】
自閉装置９は上記の如く構成され、第１扉２、第2 扉３が全閉された状態（図２及び図３に示す状態）から第１扉２、第2 扉３を開放していくと、図１において第２回動軸４は第２扉３及び第２回動軸に固定された回動補助板９１と共に時計回りの方向に回動し、全開状態（図３の仮想線に示す状態）となる。この状態で第２回動軸４及び回動補助板９１は９０度回動し、ワイヤー９２は回動補助板９１に巻き付けられ、引っ張りバネ９３は第2 扉３の移動距離にかかわりなく回動補助板９１の４分の１円周分伸長する。（図９に示す状態）
【００２５】
そして、開放状態を解除すると、引っ張りバネ９３の引っ張り力によって回動補助板９１、第２回動軸４、第２扉３は図９で反時計周りの方向に回動力が付与され、第２扉３は蝶番３１の箇所で第１扉２と連結されているので、第１扉を時計周りの方向に回動させつつ、自らは反時計周りに回動しながら閉鎖方向に移動し、やがて、全閉姿勢となる。
この時、扉の閉鎖スピードの調節は、調節ナット９６、９６を回動し、連結座９４と調節ボルト９５を開閉方向に移動させて、引っ張りバネ９３の付勢力を変化させて所望の閉鎖スピードを得た後、固定座９７に、調節ナット９６、９６にて調節ボルト９５を固定させる。
【００２６】
尚、実施例では、回動補助板９１は平面４分の１円板形に形成されているので、回動補助板９１にワイヤー９２が接線となる位置での、第２回動軸部の中心から、ワイヤー９２までの垂線方向の距離は、開閉時のどの位置でも一定となる。  したがって、第２回動軸４に負荷される回転モーメントは、引っ張りバネ９３の伸長寸法によって左右され、引っ張りバネ９３が最も伸長した状態（第２扉３の全開姿勢）で、第２回動軸に負荷される回転モーメントは最大となる。
すなわち、全開状態から閉鎖運動に移行する閉鎖スピードの初速が早くなり、全閉時に第２扉３が縦枠１１に当接する時の衝撃が強くなる可能性がある。
【００２７】
そして、閉鎖スピードの初速を遅くし、第2 扉３が徐々に閉鎖するようにするには、第2 扉３が全開した状態で、回動補助板９１にワイヤー９２が接線となる位置での、第２回動軸部の中心からワイヤー９２までの垂線方向の距離を短くし、全閉時で最も長くなる形状に、回動補助板９１を形成すればよく（図１０に示す。）、適宜変更可能である。
【００２８】
ランマパネル１０は、上端に形成された上向き係止突片（図示せず）を、三方枠１の上枠１２の内側に係止させ、開閉側両端部を開閉側縦枠１１、１１の内面側で、それぞれ開閉方向に突出せしめたランマ取付座（図示せず）にネジ止めして着脱自在に取付られる。
【００２９】
【発明の効果】
請求項１に記載の発明によれば、 開放側端部が回動自在に支持された第１扉と、第１扉に開放側端部が折り畳み自在に連結され、上部が固定部材に配設されたスライド部材に設けられたスライド支持部材に回動自在に支持された第２回動軸を介して、スライド部材に、第２回動軸と共に回動自在でかつ開閉方向に移動可能に支持された第２扉より構成され、第２扉の上部に、常に第２扉を閉鎖する方向に、第２回動軸を回動させる付勢手段と付勢手段の付勢力を調節する付勢力調節手段を、第２扉と共に移動する位置に設けた折れ戸において、前記付勢手段は、第２回動軸に設けられた第２回動軸と共に回動する回動補助板と、一端が回動補助板に巻きついての開放側端部に固定され、他端が回動補助板の閉鎖側に延出するワイヤーと、ワイヤーを常に閉鎖側に引っ張る引っ張りバネより構成され、前記付勢力調節手段は、引っ張りバネの閉鎖側端部に連結される連結座と、連結座を開閉方向に移動させる調節ボルトと、調節ボルトを所定位置で固定する固定手段より構成されているので、扉の大きさを考慮して、回動補助板の大きさを変える事により、引っ張りバネの伸長寸法も変える事ができるので、引っ張りバネを広範囲に選択する事が出来、最適な付勢力を得る事ができる。
更に、付勢力調節手段は、調節ボルトと調節ナットよりなる簡単な構造であり操作も容易である。
【図面の簡単な説明】
【図１】本発明の要部横図断面図
【図２】本発明の正面図
【図３】図２のＡーＡ線拡大断面図
【図４】図３のＢ部拡大図
【図５】スライド支持部材と第２回動軸部分の分解斜視図
【図６】スライド部材の拡大断面図
【図７】本発明の要部縦断面図
【図８】図７の側面図
【図９】扉の全開状態の要部横断面図
【図１０】他の実施例の回動補助板を使用した扉の全開状態の要部横断面図
【図１１】従来例を示す説明図
【符号の説明】
１        三方枠
１１      縦枠
１００    折れ戸
２        第１扉
３        第２扉
４        第２回動軸
４６      嵌合軸部
５        スライド支持部材
６        固定部材
７        第１スライドレール
７００    スライド部材
８        第２スライドレール
９        自閉装置
９０      付勢手段
９００    付勢力調整手段
９１      回動補助板
９２      ワイヤー
９３      引っ張りバネ
９４      連結座
９５      調節ボルト
９６      調節ナット
９７      固定座
【図１】
0003595459.tif 000002
【図２】
0003595459.tif 000003
【図３】
0003595459.tif 000004
【図４】
0003595459.tif 000005
【図５】
0003595459.tif 000006
【図６】
0003595459.tif 000007
【図７】
0003595459.tif 000008
【図８】
0003595459.tif 000009
【図９】
0003595459.tif 000010
【図１０】
0003595459.tif 000011
【図１１】
0003595459.tif 000012